(57)【特許請求の範囲】
【請求項１】
通帳を搬送手段により回収路に沿って回収箱の上部開口面の一端部付近から前記回収箱内に送り込んで回収する通帳回収装置において、前記回収箱の通帳が入り込む部分の底部に前記回収路から前記回収箱に送り込まれた通帳の先端を前記回収箱の上部開口面の中間位置に向かって誘導案内する下部バネ片を設けるとともに、前記回収箱の上方において前記上部開口面に沿って設けてある上側ガイドに、前記下部バネ片により誘導案内された通帳の先端を前記回収箱の所定の位置に収容された場合の通帳の前頁の綴じ目に近い位置に向けて誘導案内する上部バネ片を設けたことを特徴とする通帳を用いるデータ処理装置における通帳回収装置。
【請求項２】
下部バネ片は、回収箱の底部に設置され、回収箱の中の回収路からの通帳進入面よりも後方に位置されて、通帳の後頁の垂れ下がり防止する後部分と、回収箱の中の前記通帳進入面よりも前方に位置され、前記回収箱の底面から前方に上り傾斜又は湾曲されて、前記通帳進入面に沿って進入される通帳の先端を前上方に誘導案内する前部分と、取付部材又は回収箱に固定される中央部分とを一体に有することを特徴とする請求項１に記載された通帳を用いるデータ処理装置における通帳回収装置。
【請求項３】
上部バネ片は、上側ガイドに取付けられ、回収箱の所定の位置に収容された場合の通帳の綴じ目の位置よりも僅か手前の位置から前記回収箱の所定の位置に収容された場合の通帳の前頁の前記綴じ目に近い位置に向けて傾斜されていることを特徴とする請求項１又は２に記載された通帳を用いるデータ処理装置における通帳回収装置。
【発明の詳細な説明】
【０００１】
【発明の属する技術分野】
本発明は、通帳を用いるデータ処理装置における通帳回収装置に関する。
【０００２】
【従来の技術】
ＡＴＭ（自動現金預け払い機）等の通帳を用いるデータ処理装置は、顧客が挿入した通帳に基づく取引のデータ処理に引続き、その通帳に取引データを記録した後、その通帳をその顧客に返却するため挿入口兼排出口に排出するようになっているが、顧客はその通帳を取り忘れて立ち去る場合がある。
このような場合に対処するため、データ処理装置には、挿入口兼排出口に排出された通帳が受け取られない状態が所定時間以上継続した時に、通帳回収指令信号を出力して、その通帳を再び内部に搬入するとともに、搬送方向を搬送路から回収路方向に反らしてその回収路に設けられた回収ローラによりその通帳を回収箱内に送り込んで回収する通帳回収装置が備えられている。
このような通帳の回収箱への回収は、通帳の未記録頁の消滅（使い果たし）や店舗統合等に伴い、係員が通帳を用いるデータ処理装置において繰越記録を行った新通帳を発行するのと引換えに旧通帳を回収する際にも行われる場合がある。
【０００３】
図３は、通帳を用いるデータ処理装置における従来の通帳回収装置の構成の一例を示す要部の断面図である。
１は回収路であり、データ処理装置において通帳に対してデータの読取り、書き込み及び印字のために通帳を搬送する周知の搬送路（図示省略）から周知のウィング（図示省略）等の反らし手段を介して反らされる通帳を、回収箱２の方向に誘導するものであり、上下のガイド１１，１２により形成されている。
３は搬送路から回収路１に反らされた通帳Ｎ２を回収箱２内に送り込む回収ローラであり、回転軸３１上に固着された送りローラ３２と、その送りローラに近接して回転軸３１上に固着されたスターホイール３３と、支軸３４上に送りローラ３２に押圧するように設けられた押えローラ３５とからなっている。スターホイール３３は弾性材料で作られていて、送りローラ３２とともに、図外の搬送モータを利用して又は独立した回収モータにより、所定時間一定方向、すなわち、回収路１の通帳を回収箱２内に送り込む方向に回転駆動される。なお、スターホイール３３は、回収された通帳の後頁が上側に開いて、通帳進入面Ｐを塞ぐことを防止する働きがある。
【０００４】
下側ガイド１２は傾斜され、その下端部は回収ローラ３のニップの直後で終止しているのに対し、上側ガイド１１は回収路１に沿って回収箱２の開口面の前部位置まで延びている傾斜部分１１ａと、回収箱２の開口面の前部位置から回収箱２の終端付近まで延長している水平部分１１ｂとを有している。そして、回収箱２は、中に何も存在しない空き箱状態で通帳が回収されてくるのを待機している。
１営業日に取り忘れ又は繰越のために回収される通帳の数は少ないので、回収箱２は２冊以上を収容できる程度の深さのものが使用されるのが通例である。また、データ処理装置内に余剰スペースが少ないので、回収箱の容積を大きくできない場合もある。
【０００５】
通帳回収装置は、データ処理装置の挿入口兼排出口に設けられた通帳取り忘れ検知手段からの通帳取り忘れ検知信号、又は係員の入力操作に基づく通帳繰越信号に基づいて、搬送路途中に設けられた反らし手段（図示せず）を駆動させるが、その反らし手段により搬送路から回収路１に進入される最初の通帳Ｎ１は、回収ローラ３により円滑に回収箱２内に送り込まれて収容される。そして、後に回収される通帳Ｎ２は最初の通帳Ｎ１の場合と同様の態様で回収箱に向けて進行される。
【０００６】
【発明が解決しようとする課題】
ところで、従来の通帳回収装置においては、上記のように回収箱内には何も設けられていないので、先に回収された通帳Ｎ１が図３に示すように綴じ目ｂから前頁ａ側が厚く、かつ後頁ｃ側が薄い場合は、先の通帳の後頁ｃが回収箱２の底面に水平状態に存在している時は、前頁ａが綴じ目ｂにおいて薄い後頁ｃから急激に段状に高くなっているため、後に回収される通帳Ｎ２の先端は先の通帳の後頁ｃ上を滑って進入して間もなく、後の通帳Ｎ２はその先端が先の通帳の綴じ目ｂ、又はその直後の段部に止められてそれ以上回収箱内に進入できないこととなり、検知光が回収路１を横断するように設けられたジャム検知手段が作動して、通帳回収装置はそのジャム検知に基づいて回収動作を中止してしまうことが少なくなかった。
【０００７】
本発明は、上記の事情に鑑みてなされたものであり、その課題は、２冊目以後の通帳も円滑に回収箱の所定の位置まで回収されるようにすることにある。
【０００８】
【課題を解決するための手段】
上記課題を解決するため、本発明は、通帳を搬送手段により回収路に沿って回収箱の上部開口面の一端部付近から前記回収箱内に送り込んで回収する通帳回収装置において、前記回収箱の通帳が入り込む部分の底部に前記回収路から前記回収箱に送り込まれた通帳の先端を前記回収箱の上部開口面の中間位置に向かって誘導案内する下部バネ片を設けるとともに、前記回収箱の上方において前記上部開口面に沿って設けてある上側ガイドに、前記下部バネ片により誘導案内された通帳の先端を前記回収箱の所定の位置に収容された場合の通帳の前頁の綴じ目に近い位置に向けて誘導案内する上部バネ片を設けたことを特徴としている。
上記構成により、回収路から回収ローラにより回収箱に向けて進行される通帳は、その先端が下部バネ片に当たり、上部バネ片の中間部に向けて誘導案内される。従って、その通帳の先端は今度は上部バネ片により回収箱の底面に向けて誘導案内されるため、所定位置に回収される。回収路から回収箱に向けて進行される後の通帳は、その先端が先の通帳の下部バネ片に載っている後頁の上面に当たるため、その先端は先の通帳の場合と同様に上部バネ片の中間部に向けて反らされ、その通帳の先端は今度は先に回収されている通帳の前頁の上面に向けて誘導案内されて進行するため、所定位置に回収される。
【０００９】
下部バネ片は、回収箱の底部に設置され、回収箱の中の回収路からの通帳進入面よりも後方に位置されて、通帳の後頁の垂れ下がり防止する後部分と、回収箱の中の前記通帳進入面よりも前方に位置され、前記回収箱の底面から前方に上り傾斜又は湾曲されて、前記通帳進入面に沿って進入される通帳の先端を前上方に誘導案内する前部分と、取付部材又は回収箱に固定される中央部分とを一体に有する構成とすることができる。
上記構成の場合は、先に回収された通帳の後頁が下部バネ片の後部分で支えられるため、通帳の後頁の後端が自重により、あるいはスターホイールによる押下作用により垂れ下がって、後に回収箱に送り込まれる通帳の先端の円滑な進入が妨げられることが防止される。
【００１０】
上部バネ片は、上側ガイドに取付けられ、回収箱の所定の位置に収容された場合の通帳の綴じ目の位置よりも僅か手前の位置から前記回収箱の所定の位置に収容された場合の通帳の前頁の前記綴じ目に近い位置に向けて傾斜されていることが好ましい。
上記構成により、取付が容易であり、下部バネ片により反らされた通帳の先端を確実に先に回収された通帳の綴じ目よりも先に誘導し、円滑な回収を可能にする。
【００１１】
【発明の実施の形態】
次に、本発明の実施の形態について、図面に基づいて説明する。図１は本発明による通帳回収装置の要部の縦断面図、図２は作用説明図である。図３の通帳回収装置の構成部材と同一又は相当の部材には同一の符号を用いる。
【００１２】
本発明において新たに付加された構成要素は、回収箱２の底面の後部に設けられた下部バネ片４と、上側ガイド１１に設けられた上部バネ片５とである。
【００１３】
上部バネ片５は、回収箱２の所定の位置に収容された場合の通帳の綴じ目の位置よりも僅か前方において一端が上側ガイド１１の水平部分１１ｂに固定され、回収箱２の所定の位置に収容された場合の通帳の前頁の前記綴じ目に近い位置に向けて傾斜されている。
【００１４】
下部バネ片４は、好ましい実施の形態においては、逆さ富士の輪郭状に形成されて、一つの裾野に相当する前部分４ａと他の裾野に相当する後部分４ｂと頂上に相当する中央部分４ｃとを一体に有している。
そして、下部バネ片４は、前部分４ａを回収箱２の中の回収路１からの通帳進入面Ｐよりも前方に位置させ、後部分４ｂを前記通帳進入面よりも後方に位置させて回収箱２の底部に設置し、中央部分４ｃにおいて取付部材６により固定されている。
【００１５】
下部バネ片４の前部分４ａは、回収箱２の底面から上部バネ片５に向けて上るように傾斜又は湾曲されていて、回収路１から搬送手段に相当する回収ローラ３により回収箱２に向けて送り込まれる通帳の先端を上部バネ片５に向けて反らし、誘導案内するように作用するためのものである。また、後部分４ｂは回収箱２内の所定位置に回収された通帳の後頁の後端が後頁の自重により回収箱２の底面まで下がって後頁がその後端にかけて下り傾斜しないようにこれを支える作用をするためのものである。
【００１６】
下部バネ片４は、取付部材６を介して回収箱２の底部に取り付けてある。この場合は、回収箱を図１において手前方向に引き出すことにより、回収箱に収容された通帳を容易に取り出すことができる。下部バネ片４が装置本体側に取付けられる場合は、回収箱２の側壁の下部バネ片４に対応する位置に切欠を形成することにより、下部バネ片４を残して回収箱を引き出すことができる。
【００１７】
上記の下部バネ片４と上部バネ片５が設けてある本発明による通帳回収装置においては、図２に示すように、回収ローラ３により回収路１から回収箱２に送り込まれる最初の通帳Ｎ１は、その先端がまず下部バネ片４の前部分４ａに当たって上部バネ片５方向に反らされる。前頁の厚み（重さ）は時と場合により異なるが、下部バネ片４の前部分４ａはその重みに応じて柔軟に撓むので、通帳の先端は円滑に後方に誘導される。そして、上部バネ片５は適度な長さを有して傾斜しているので、下部バネ片４により反らされた通帳の先端は必ず上部バネ片５の傾斜面の中間位置に当たって回収箱の底面方向に誘導案内される。従って、通帳は所定位置に収容される。
この時、上部バネ片５の下端部は、所定位置に回収された通帳Ｎ１の前頁ａの綴じ目よりも若干前方に存在し、あるいはその位置でその前頁を弾力的に押圧する。
【００１８】
所定位置に回収された通帳Ｎ１の後頁ｃは、その後端が下部バネ片４の後部分４ｂに支えられるため、ほぼ水平状態にあるので、次に回収路１から送り込まれてくる通帳Ｎ２の先端は先の通帳Ｎ１の後頁ｃの中間位置に当たって円滑に滑って回収箱の奥の方に案内される。その先端は続いて上部バネ片５に当たり、先の通帳の場合と同様に回収箱の底面方向に誘導案内されるが、この通帳Ｎ２の先端は先の通帳Ｎ１の綴じ目よりも若干前方において先の通帳Ｎ１の前頁ａと上部バネ片５の下端との間に進入される。従って、この通帳も先の通帳の上を円滑に回収箱の終端部まで進行され、所定位置に回収される。
【００１９】
下部バネ片４の後部分４ｂは必ず要るものではない。すなわち、回収路１から回収箱２への進入角度によっては下部バネ片４の後部分４ｂを設けなくとも良い場合がある。また、下部バネ片４の前部分４ａの回収箱底面からの立上がり位置と長さを工夫することにより、通帳の後頁の垂れ下がりを防止することも可能である。
【００２０】
【発明の効果】
上述のように、本発明によれば、回収箱の通帳が入り込む部分の底部に回収路から送り込まれた通帳の先端を回収箱の上部開口面の中間位置に向かって誘導案内する下部バネ片を設けるとともに、回収箱の上方において上部開口面に沿って設けてある上側ガイドに、下部バネ片により誘導案内された通帳の先端を回収箱の所定の位置に収容された場合の通帳の前頁の綴じ目に近い位置に向けて誘導案内する上部バネ片を設けたので、最初に回収される通帳はもとより、後に回収される通帳も先の通帳の綴じ目に係止されることなく、円滑に所定の位置に収容される。
【図面の簡単な説明】
【図１】本発明の一つの実施の形態を示す縦断面図。
【図２】同実施の形態の作用説明図。
【図３】従来の通帳回収装置の構成の一例及び作用を示す説明図。
【符号の説明】
１    回収路
２    回収箱
３    回収ローラ（搬送手段）
４    下部バネ片
４ａ    前部分
４ｂ    後部分
４ｃ    中央部分
５    上部バネ片
【図１】
0004097936.tif 000002
【図２】
0004097936.tif 000003
【図３】
0004097936.tif 000004